(57)【要約】      （修正有）【課題】水分を含んで重くなりがちな台所の生ゴミ等を入れても、横倒れや落下することの無い、流し台用屑入の固定具を提供すること。【解決手段】下記（ａ）〜（ｃ）を有する、屑入を流し台縁部から吊り下げ固定するための固定具であって、（ｂ）として少なくとも下記（ｂ−１）及び（ｂ−２）の２つを含み、（ｃ）が少なくとも下記（ｃ−１）及び（ｃ−２）を有するものであることを特徴とする、流し台用屑入の固定具。（ａ）支持部材、（ｂ）脚部材、（ｃ）（ａ）の一端に連結された、一対の部材からなる屑入用の挟持部材（ｂ−１）（ｃ）が連結していない側の（ａ）端部に連結され、固定具設置面に対する固定手段を有する脚部材（ｂ−２）（ａ）の長手方向に対して可動性を有する脚部材（ｃ−１）把持対部分（ｃ−２）挟持対部分【選択図】図６
2017100847.tif 000002
【特許請求の範囲】
【請求項１】
下記（ａ）〜（ｃ）を有する、屑入を流し台縁部から吊り下げ固定するための固定具であって、（ｂ）として少なくとも下記（ｂ−１）及び（ｂ−２）の２つを含み、（ｃ）が少なくとも下記（ｃ−１）及び（ｃ−２）を有するものであることを特徴とする、流し台用屑入の固定具。
（ａ）支持部材
（ｂ）脚部材
（ｃ）（ａ）の一端に連結された、一対の部材からなる屑入用の挟持部材
（ｂ−１）（ｃ）が連結していない側の（ａ）端部に連結され、固定具設置面に対する固定手段を有する脚部材
（ｂ−２）（ａ）の長手方向に対して可動性を有する脚部材
（ｃ−１）把持対部分
（ｃ−２）挟持対部分
【請求項２】
（ｃ−２）挟持対部分の少なくとも一方の内側に、屑入上縁部挟持用の溝を有することを特徴とする、請求項１記載の、流し台用屑入の固定具。
【請求項３】
（ｃ−２）の溝が、幅，深さ，又は断面形状の少なくともいずれかが異なる２本以上である、請求項２に記載の、流し台用屑入の固定具。
【請求項４】
固定具を、（ｂ−１）と（ｂ−２）との間隔を最大にして流し台縁部に設置した際に、（ｂ−１）と（ｂ−２）とが、下記（Ｉ）の関係となる構造を有していることを特徴とする、請求項１乃至３のいずれか１項に記載の、流し台用屑入の固定具。
Ｈ（ｂ−１）≦ Ｈ（ｂ−２）  ・・・・（Ｉ）
Ｈ（ｂ−１）：（ａ）と（ｂ−１）との連結部における、（ａ）の垂直断面中心部から、流し台縁部までの高さ
Ｈ（ｂ−２）：（ａ）と（ｂ−２）との連結部における、（ａ）の垂直断面中心部から、流し台縁部までの高さ
【請求項５】
（ｂ−２）が、（ｂ−２）-I又は（ｂ−２）-IIを有していることを特徴とする、請求項１乃至４のいずれか１項に記載の、流し台用屑入の固定具。
（ｂ−２）-I：（ｂ−２）の側面に設けた、（ａ）を貫通させるための貫通孔
（ｂ−２）-II：（ｂ−２）の上端に設けた、（ａ）を嵌入させるための部位
【請求項６】
（ｂ−１）及び／又は（ｃ）と、（ａ）が、下記の面上で回動可能に連結されていることを特徴とする、請求項１乃至５のいずれか１項に記載の、流し台用屑入の固定具。
（ｂ−１）：垂直面上及び／又は水平面上
（ｃ）：垂直面上
【請求項７】
（ｃ）が、ピンチバネ又はピンチリングを有するものであることを特徴とする、請求項１乃至６のいずれか１項に記載の、流し台用屑入の固定具。
【発明の詳細な説明】
【技術分野】
【０００１】
本発明は、流し台用屑入の固定具に関する。
【背景技術】
【０００２】
台所等の流し台において、生ゴミ等の屑を入れる容器としては、いわゆる三角コーナー等の水切り容器が一般的である。
一方、流し台の構造は、水等が滞留しないよう、底面が排水口に向かって傾斜していたり四隅が曲面になっている場合が多いこと等から、三角コーナーを設置しても、不安定であったり、排水口の方に移動してしまい流し台が広く使えない他、倒れることによって、集めた屑が散乱する恐れもある。
また、三角コーナーは一般的に、流し台の底面に設置するため、設置面にカビ等が発生し、三角コーナー自体が流し台の更なる汚れを誘発する等、衛生面に問題も有している。
【０００３】
これを解決する方法として、三角コーナーを、流し台の底面や側面（内壁面）に、吸盤その他の固定具で固定したり、流し台の縁部に直接引っ掛けたりする方法等が開発されている（特許文献１，２）。
【０００４】
しかしながら、単に三角コーナーを固定しても、底面固定では、カビ等の問題が残り、また特許文献１や２の様に、側面への固定であっても、水を含んだゴミ等は、かなりの重みを有するため、固定が十分で無く、三角コーナーがずり下がったり横倒れしたり、落下することにより、やはりカビやゴミ散乱等の問題が生ずる。
【０００５】
一方、三角コーナーの変わりに、使い捨ての屑入袋（不織布や穴の開いた袋等）を、流し台の縁部に固定した枠内に吊り下げるタイプの屑入等も提案されている。
これらの場合、袋自体にカビが生じても、使い捨てであるため、流し台自体への汚れの誘発には繋がり辛いという利点はあるものの、水を含んだゴミ等の重みで枠の固定力が低下し、固定部が剥離することによって枠ごと落下する，あるいは落下はしなくとも、ゴミ等の重みで枠がたわんだり、あるいはゴミの詰め過ぎ等によって、屑入袋が流し台の内壁面に直接触れてしまい、流し台の側面の方にカビが生える等の問題がある。
【０００６】
尚、必要に応じて壁面に沿って上下移動可能とするため、２つのＬ字状レールで挟み込んだ支持部材を用いて三角コーナーを吊り下げるものもあるが（特許文献３）、流し台縁部への固定自体は、一箇所のみであり、しかも幅の狭い縁によって、流し台縁部に引っ掛けるだけの構造であることから、やはり水分を含んだゴミ等の重みに耐えられず落下する危険性は残ると考えられる。
【０００７】
更に、従来の屑入固定具の殆どは、固定位置から屑入までの水平面上の距離が一定であるため、様々な幅や形状を有する流し台の縁部のそれぞれに対して最適な屑入支持力を発揮しているとは言いがたく、設置位置が限定されたり、設置が不可能であったり、また無理な設置によって本来の固定力が減殺されてしまう場合が多い。
【先行技術文献】
【特許文献】
【０００８】
【特許文献１】特開平９−２０６１９５号公報
【特許文献２】特開２００８−３０９４４号公報
【特許文献３】特開２００５−１６２４０４号公報
【発明の開示】
【発明が解決しようとする課題】
【０００９】
本発明者等は、上述の問題を解決するために鋭意研究を行った結果、本発明に到達したものであって、その目的とするところは、少なくとも２箇所以上の脚部材を有することによって、屑入を流し台縁部に強固に固定し、水分を含んで重くなりがちな台所の生ゴミ等を入れても、ずれたり横倒れや落下することが無く、しかも脚部材の１つが可動性を有していることから、様々な幅の流し台縁部にも設置可能な、流し台用屑入の固定具を提供することにある。
【課題を解決するための手段】
【００１０】
上述の目的は、下記第一の発明乃至第七の発明によって達成される。
【００１１】
＜第一の発明＞
本件第一の発明は、下記（ａ）〜（ｃ）を有する、屑入を流し台縁部から吊り下げ固定するための固定具であって、（ｂ）として少なくとも下記（ｂ−１）及び（ｂ−２）の２つを含み、（ｃ）が少なくとも下記（ｃ−１）及び（ｃ−２）を有するものであることを特徴とする、流し台用屑入の固定具である。
（ａ）支持部材
（ｂ）脚部材
（ｃ）（ａ）の一端に連結された、一対の部材からなる屑入用の挟持部材
（ｂ−１）（ｃ）が連結していない側の（ａ）端部に連結され、固定具設置面に対する固定手段を有する脚部材
（ｂ−２）（ａ）の長手方向に対して可動性を有する脚部材
（ｃ−１）把持対部分
（ｃ−２）挟持対部分
【００１２】
＜第二の発明＞
本件第二の発明は、（ｃ−２）挟持対部分の少なくとも一方の内側に、屑入上縁部挟持用の溝を有することを特徴とする、第一の発明に記載の、流し台用屑入の固定具である。
【００１３】
＜第三発明＞
本件第三の発明は、（ｃ−２）の溝が、幅，深さ，又は断面形状の少なくともいずれかが異なる２本以上である、第二の発明に記載の、流し台用屑入の固定具である。
【００１４】
＜第四の発明＞
本件第四の発明は、固定具を、（ｂ−１）と（ｂ−２）との間隔を最大にして流し台縁部に設置した際に、（ｂ−１）と（ｂ−２）とが、下記（Ｉ）の関係となる構造を有していることを特徴とする、第一の発明乃至第三の発明のいずれか１項に記載の、流し台用屑入の固定具である。
Ｈ（ｂ−１）≦ Ｈ（ｂ−２）  ・・・・（Ｉ）
Ｈ（ｂ−１）：（ａ）と（ｂ−１）との連結部における、（ａ）の垂直断面中心部から、流し台縁部までの高さ
Ｈ（ｂ−２）：（ａ）と（ｂ−２）との連結部における、（ａ）の垂直断面中心部から、流し台縁部までの高さ
【００１５】
＜第五の発明＞
本件第五の発明は、（ｂ−２）が、（ｂ−２）-I又は（ｂ−２）-IIを有していることを特徴とする、第一の発明乃至第四の発明のいずれか１項に記載の、流し台用屑入の固定具である。
（ｂ−２）-I：（ｂ−２）の側面に設けた、（ａ）を貫通させるための貫通孔
（ｂ−２）-II：（ｂ−２）の上端に設けた、（ａ）を嵌入させるための部位
【００１６】
＜第六の発明＞
本件第六の発明は、（ｂ−１）及び／又は（ｃ）と、（ａ）が、下記の面上で回動可能に連結されていることを特徴とする、第一の発明乃至第五の発明のいずれか１項に記載の、流し台用屑入の固定具である。
（ｂ−１）：垂直面上及び／又は水平面上
（ｃ）：垂直面上
【００１７】
＜第七の発明＞
本件第七の発明は、（ｃ）が、ピンチバネ又はピンチリングを有するものであることを特徴とする、第一の発明乃至第六の発明のいずれか１項に記載の、流し台用屑入の固定具である。
【発明の効果】
【００１８】
本発明の流し代用屑入の固定具は、少なくとも２つ以上の脚部材を用いることによって、流し台用屑入を、確実に流し台縁部に設置することができ、屑入が落下すること等によるゴミの散乱等の恐れが殆ど無い。
また、本発明の流し代用屑入の固定具は、少なくとも２箇所以上ある（ｂ）脚部材のうちの１つ（ｂ−２）が、（ａ）支持部材の長手方向に対して可動性を有していることで、様々な幅や形状を有する流し台縁部にも対応して適宜最適な固定力を発揮させることが出来る。
更に、（ｃ）挟持部材の（ｃ−２）挟持対部分の内側面に溝が設けられている場合には、上端に縁が設けられてる屑入等の縁を当該溝で挟持することによって、より確実に屑入を保持することができる。
この溝を、幅，深さ，又は断面形状等の異なる複数本有する場合には、種々の上縁部の屑入に使用可能であるという利点も有している。
また、Ｈ（ｂ−１）≦Ｈ（ｂ−２）
である場合には、（ｂ−２）を、（ａ）支持部材の長手方向に移動させることで、（ｃ）挟持部材の高さを垂直方向に調節することができ、これによって、ゴミの重さに応じて（ａ）支持部材にたわみが生じても、（ｃ）挟持部材を上昇させることで、屑入が流し台内壁面に接触したり、あるいは（ｂ）脚部材が剥離して屑入ごと固定具が落下するのを防ぐことができる。
【図面の簡単な説明】
【００１９】
【図１】本発明の固定具（一例）によって、屑入を固定した様子を、真横から見た図である。
【図２】本発明の固定具（一例）によって、屑入を固定した様子を、斜め上から見た図である。
【図３】本発明の固定具（一例）の（ｃ）挟持部材を示す図である。
【図４】本発明の固定具（一例）の（ｃ）挟持部材の、一片を示す図である。
【図５】本発明の固定具（一例）を、流し台縁部に固定後、真横から見た図である。
【図６】本発明の固定具（一例）を、２個用いた使用例を示す図である。
【発明を実施するための最良の形態】
【００２０】
以下、本発明を詳細に説明する。
【００２１】
本発明において「流し台縁部」とは、流し台（シンク）の周りにある水平面の部分を言う（図１等参照）。
【００２２】
本発明において「上端（部）」，「下端（部）」とは、特に断りのない限り、本発明の固定具を流し台縁部に設置した際の、該当部材の、垂直方向の上端（部），下端（部）を意味する。
本発明において「下側」とは、特に断りのない限り、本発明の固定具を流し台縁部に設置した際の、該当部材の、設置面と相対する側を言う。
本発明において「側面」とは、特に断りのない限り、本発明の固定具を流し台縁部に設置した際の、該当部材の、垂直方向の外面を意味する。
【００２３】
本発明において「垂直（（断）面）」とは、特に断りのない限り、本発明の固定具の設置面（流し台縁部）に対して垂直な面や方向を言い、「水平（（断）面）」とは、設置面に平行な面や方向を言う。
【００２４】
本発明において「連結」とは、２つ以上の部材を、互いに動かぬように完全に固定する結合方法に限られるものでは無く、回動や摺動等が可能な結合方法，凹部に凸部を嵌め込んだり、一方の鉤形構造内に他方を嵌入させたり、一方に設けられた溝に沿って他方を走らせるような方法，或いは一方の孔に他方を貫通させるような結合方法等、適宜分離可能な結合方法や仮固定のような結合方法をも意味している。
【００２５】
本発明の固定具によって固定されうる「流し台用屑入」には、いわゆる三角コーナーのような形状の決まった容器のほか、不織布や穴の開いた袋，紙袋等の、不定形の屑入袋等も含まれるが、しっかりと把持し、固定力を発揮し得る点では、本発明の固定具は、不定形の屑入袋よりも、形状の決まった容器において、より効果を発揮するものである。
【００２６】
［（ａ）支持部材］
本発明の流し台用屑入の固定具は、（ａ）支持部材を有するものである。
ここで、「支持部材」とは、（ｃ）屑入用の挟持部材，屑入，及び屑入中の生ゴミ等を支え、屑入が流し台の側面や底面に接触しないように支える役割を担うものである。
【００２７】
（（ａ）の形状）
（ａ）の形状としては、（ｂ）脚部材及び（ｃ）挟持部材を連結させることが出来、かつ少なくとも２つの脚部材（ｂ−１），（ｂ−２）の間隔が伸縮できるような長手面を有するものであれば、特に制限されるものでは無く、例えば、板状体や角柱を含む直方体，円柱その他の柱状物，棒状体等が挙げられる。
【００２８】
（（ａ）の垂直断面形状）
（ａ）の、長手方向に対して垂直方向（短手面）断面（図５の（ｍ）部で切断した断面，以下、（ｍ）垂直断面と記載することがある。）の断面形状としては、特に限定されるものでは無く、例えば円形，楕円形，長方形や正方形等を含む多角形等のほか、不定形であっても良い。
【００２９】
また、これらを基本形状とし、更に（ｂ）と連結させるのに適した加工が施された形状であっても良い。
【００３０】
但し、（ｂ）との連結の容易さ，屑入を支える力の安定性等から、（ａ）の形状は、（ｍ）垂直断面の形状が長方形や正方形であることが好ましく、特に、屑入やゴミの重み等から生ずるせん断力を分散し、（ａ）自身の破損を防止する点や、屑入の支持力の増加，固定具全体の構造設計の容易性等を、総合的に判断した場合、（ａ）の垂直断面形状は、流し台縁部に対して水平な辺が、垂直な辺よりも長い長方形が好ましく、つまり（ａ）は、いわゆる板状物であることが好ましい（図２等）。
【００３１】
（（ａ）の（ｍ）垂直断面の大きさ）
（ｍ）垂直断面の大きさ（面積・直径・高さ等）は、特に制限されないが、（ｂ−２）に（ａ）を貫通させる場合には、連結部分の（ｂ−２）の（P２）垂直断面の面積より小さいことが必要である（図５等参照）。
【００３２】
具体的には、例えば、断面形状が長方形である場合、長辺（流し台縁部に対して水平な辺（ａｘ））の長さは、好ましくは１０ｍｍ〜５０ｍｍ，より好ましくは１５ｍｍ〜２５ｍｍであり、短辺（流し台縁部に対して垂直な辺）（ａｙ）の長さは、好ましくは、２ｍｍ〜２０ｍｍ，より好ましくは、５〜１５ｍｍである。（図２参照）
【００３３】
（（ａ）の長さ）
（ａ）の長手方向の長さ（図２，５の（ａｚ））は、脚部材（ｂ−１），（ｂ−２）の間の間隔（図５（ｂ１−ｂ２））を、例えば３ｃｍ〜１０ｃｍ内で変更できる長さを有しておれば良く、特に制限されるものでは無いが、様々な幅の流し台縁部に対応できる小スペース性と、流し台縁部への固定力や挟持部材やゴミ等の支持力維持とを両立するためには、例えば５ｃｍ〜１５ｃｍが好ましく、より好ましくは７ｃｍ〜１０ｃｍである。
【００３４】
（（ａ）の材質）
（ａ）の材質としては、金属，プラスチック，木材，木材屑を固めたもの，紙類，又はこれらに適宜樹脂等で撥水加工したもの，或いはそれらの組み合わせ等が挙げられ、屑入を挟持した際に、破損しない強度或いは弾性を有していれば良い。
【００３５】
中でも、価格や成形容易性等の点では、プラスチックが好ましい。
【００３６】
プラスチックとしては、例えば下記のようなものが挙げられる。
【００３７】
（熱可塑性樹脂）
６−ナイロン，６，６−ナイロン，１２ナイロンその他のポリアミド
ポリエチレン，ポリプロピレン，ポリブチレンその他のホモポリマー
ポリエチレンテレフタレート，ポリプロピレンテレフタレート，ポリブチレンテレフタレート，ポリ乳酸，その他のポリエステル
ポリ塩化ビニル（ＰＶＣ，又は塩ビとも言う）
ポリスチレン等のスチロール樹脂
ポリカーボネート
その等の熱可塑性樹脂
及び、上記のブレンド又は共重合物
【００３８】
（熱硬化性樹脂）
メラミン樹脂
エポキシ樹脂
その他の熱硬化性樹脂
及び、上記のブレンド又は共重合物
【００３９】
尚、上記の熱可塑性樹脂，熱硬化性樹脂は、側鎖のアルキル化その他の修飾を、適宜施し、改質したものであっても良い。
【００４０】
また、上記熱可塑性樹脂と熱硬化樹脂のブレンド等も使用することができる。
【００４１】
上記の中でも、適度な弾性を有し、耐荷重性に優れる点では、ナイロン等のポリアミドが好ましい。
安価である点では、ポリエチレンやポリプロピレン等が好ましい。
【００４２】
一方、軽量かつ高強度で、耐薬品性・耐腐食性にも優れている点では、ポリプロピレンよりも、ポリエチレンが好ましい。
また、ポリ乳酸等の生分解性プラスチックは、廃棄に際して環境に与える負荷が少ない点で好ましい。
【００４３】
［（ｂ）脚部材］
本発明の流し台用屑入の固定具は、（ｂ）脚部材を有するものである。
【００４４】
そして本発明に用いられる（ｂ）脚部材としては、少なくとも下記（ｂ−１）及び（ｂ−２）の２つを含むことを特徴とするものである。
【００４５】
（ｂ−１）（ｃ）が連結していない側の（ａ）端部に連結され、固定具設置面に対する固定手段を有する脚部材
（ｂ−２）（ａ）の長手方向に対して可動性を有する脚部材
【００４６】
（（ｂ）の部材）
（ｂ）は、（ａ）と連結する支柱部分と、吸盤やマグネット等の固定手段部分を有していることが好ましいが、例えば吸盤（固定手段部分）の突起部分が支柱部分を兼ねる等のように、一つの部材が支柱部分と固定手段部分の両方の機能を有していても良い。
【００４７】
また、（ｂ−２）には、必ずしも固定手段部分を設ける必要は無く、（ｂ）による（ａ）の固定は、主として（ｂ−１）の固定手段部分が担い、支柱部分のみからなる（ｂ−２）は、（ａ）を下方から支えることによって、（ｂ−１）による（ａ）の固定を補助するものであっても良い。
【００４８】
（（ｂ）の支柱部分の形状）
（ｂ）の、支柱部分の形状としては、（ａ）支持部材及び（ｃ）挟持部材を連結させることが出来るものであれば、特に制限されるものでは無く、例えば、角柱，円柱その他の柱状物，棒状体等が挙げられるが、本発明の固定具の設置安定性を高めたり、（ａ）や、固定手段部分との連結をし易くするために、（ｂ）の上端又は下端に、必要な形状（例えば、より広い水平断面を有する部分等）が付加されていても良い。
例えば、図２等に示した（ｂ−２）の様に、（ｂ）の上端に、（ａ）嵌入用の鉤形部位を設けると、（ａ）と（ｂ）との連結が安定する点で、好ましい（図２（ｂ−２）-II）。
【００４９】
（（ｂ）の支柱部分の水平断面形状）
（ｂ）の、水平方向の断面形状（図５の（ｏ）部で切断した断面，以下（ｏ）水平断面と記載することがある。）としては、特に限定されるものでは無く、例えば円形，楕円形，長方形や正方形等を含む多角形等のほか、不定形であっても良い。
【００５０】
（（ｂ）の支柱部分の材質）
（ｂ）の支柱部分の材質としては、（ａ）,（ｃ），屑入,及び屑入中のゴミ等の重みに耐え得る強度を有するものであれば、特に限定されるものでは無く、上述の（ａ）で挙げた材質と同様の材質等が挙げられ、軽量で高強度，耐薬品性・耐腐食性がある等の点ではポリエチレンが好ましいが、必ずしもこれに限られるものでは無い。
また、（ａ）と（ｂ）は、必ずしも同じ材質である必要は無い。
【００５１】
（（ｂ）の支柱部分の大きさ）
（ｂ）の大きさは、（ａ）を支えられる程度の大きさであれば良く、特に制限されるものでは無いが、（ａ）を（ｂ）の側面に貫通させたり、（ｂ）の上端に設けた嵌入用の部位に（ａ）を嵌め込むためには、少なくとも（ａ）と連結する部分の（P１），及び（P２）垂直断面の面積は、それぞれ（ａ）より大きいことが好ましい。
【００５２】
尚、支柱部分の、（ｏ）水平断面の大きさは、例えば断面が長方形である場合には、（ａ）の長手方向に対して垂直な辺（ｂｘ）の長さが、好ましくは１５ｍｍ〜５５ｍｍ，より好ましくは２４ｍｍ〜３０ｍｍ，（ａ）の長手方向に対して平行な辺（ｂｙ）の長さが、１０ｍｍ〜１５ｍｍ等であることが好ましい（図２等参照）。
尚、図２で示した様に、（ｂ−２）の上端に鉤形の（ａ）嵌入用部位（ｂ−２）-II を設ける場合には、鉤形部分の（ｂ）自体の厚みは、２〜５ｍｍ程度が好ましく、より好ましくは３ｍｍ前後であり、鉤形構造により生じる空隙部分の高さは、３ｍｍ〜２７ｍｍが好ましく、より好ましくは６〜２２ｍｍである。
【００５３】
（（ｂ）の固定手段の種類）
脚部材（ｂ）を、流し台に固定するための固定手段としては、例えば吸盤やマグネット等を利用したものが挙げられ、市販のものを適宜用いることもできるが、錆が生じない点では、吸盤が好ましい。
尚、この固定手段は、１つでも複数であっても良い。
【００５４】
（吸盤の種類）
吸盤としては、例えば汎用されている下記のようなものが挙げられるが、このような穴は、必ずしも必要無い。
【００５５】
ｉ）突起部分に、吸盤面に対して垂直方向に穴が開いた、「立穴吸盤」
ii）突起部分に、吸盤面に対して水平方向に穴が開いた、「横穴吸盤」
iii）突起部分に、立穴及び横穴が設けられている、「立横穴吸盤」
iv）突起部分上端に、物品挟持用の溝が設けられている吸盤
【００５６】
吸盤が固定手段部分であると共に、支柱部分を兼ねる場合には、横穴や溝に（ａ）を通したり挟んだりすることで、容易に（ａ）と連結させることが出来る点で、ii），iii）又はｉｖ）が好ましい。
【００５７】
尚、吸盤の吸着方法の違いによる分類としては、例えば下記のようなものが挙げられる。
【００５８】
ア）吸盤自身の可とう性を利用し、吸盤面を密着させて吸着面の空気を追い出すことによる吸着方法のもの
イ）ネジ等を締めることで吸盤を真空状態にし、強力な吸着力を達成する「引っ張り吸盤」
ウ）レバーでロックするもの
【００５９】
コスト等を重視する際には、ア）が好ましく、固定力を重視する際には、イ）やウ）が好ましい。
【００６０】
（マグネットの形状）
マグネットとしては、断面形状が円形や多角形等の柱状,ブロック状，又は板状等が挙げられる。
【００６１】
（（ｂ）の固定手段の大きさ）
【００６２】
（吸盤の大きさ）
吸盤が円形である場合、例えば直径２０ｍｍ〜４０ｍｍ程度が好ましい。
【００６３】
（マグネットの大きさ）
マグネットが長方形又は正方形等の角型の場合、一片の長さが、例えば１５ｍｍ〜３５ｍｍ程度が好ましい。
また、マグネットが円形である場合、例えば直径１５ｍｍ〜３５ｍｍ程度が好ましい。
【００６４】
（（ｂ）の固定手段の材質）
（ｂ）の固定手段の材質は、通常吸盤やマグネットに用いられているもので良く、例えば、下記のようなものが主として挙げられる。
【００６５】
（吸盤の材質）
吸盤の材質としては、例えば金属，カーボン，プラスチック，或いはプラスチックに適宜コーティングを施したもの等が挙げられるが、具体的には例えば以下のようなものが挙げられる。
【００６６】
（プラスチックの具体例）
ポリ塩化ビニル
ポリスチレン等のスチロール樹脂
ポリプロピレン
（導電性又は非導電性）ニトリルゴム
（導電性又は非導電性）シリコンゴム
ポリウレタンゴム
フッ素ゴム
水素化ニトリルゴム（ＨＮＢＲ）
スチレン・ブロックコポリマー等の熱可塑性エラストマー（ＴＰＥ）
【００６７】
また、かかる樹脂製のものに、適宜コーティング加工したもの等が挙げられる。
【００６８】
コスト等の点では、ポリ塩化ビニル，又はこれに各種のコーティングを施したもの等が、最も汎用され、安価に製造されている点で好ましい。
【００６９】
非塩ビ製のものは、エコ吸盤として好ましく用いられており、特に、スチレン・ブロックコポリマー製のものは、燃焼によってダイオキシンを発生しない点で好ましい。
【００７０】
（マグネットの材質）
マグネットの材質としては、通常マグネットに用いられている磁性材料で良い。
【００７１】
（（ｂ）の支柱部分と固定手段部分の連結方法）
（ｂ）の支柱部分と固定手段部分の連結方法は、特に限定されず、一般的な連結方法であれば良いが、例えば次のような方法が例として挙げられる。
【００７２】
固定手段がマグネットの場合：
粘着剤や粘着テープ等を用いて、（ｂ）の支柱部分の下端裏側とマグネットを固定する方法。
（ｂ）の支柱部分の下端に、マグネットを嵌入させる方法。
【００７３】
固定手段が吸盤の場合：
（ｂ）の支柱部分の下端に設けた凹部に、吸盤の突起部分を接合させる方法。
（ｂ）の支柱部分の下端，又は下端に設けた凸部を、吸盤突起部の立穴に嵌込させる方法。
【００７４】
尚、上記の支柱部分及び固定手段部分の種類，材質，及び大きさ等は、（ｂ−１）と（ｂ−２）とで、同じであっても異なるものであっても良い。
【００７５】
（（ｂ）の高さ）
（ｂ）の高さ（支柱部分と固定手段部分を合わせた、設置面からの垂直方向の長さ）は、特に制限されないが、安定的な固定力を維持し易い点で、例えば１０ｍｍ〜５０ｍｍが好ましく、更に好ましくは２５ｍｍ〜４０ｍｍ程度である。
【００７６】
（（ｂ−１）と（ｂ−２）の高さの関係）
本発明の固定具は、（ｂ−１）と（ｂ−２）とが、本発明固定具を、（ｂ−１）と（ｂ−２）との間隔を最大にして段差の無い均一な水平面を有する流し台縁部に設置した際に、下記（Ｉ）の関係となる構造を有していることが好ましい。
【００７７】
Ｈ（ｂ−１）≦ Ｈ（ｂ−２）  ・・・・（Ｉ）
【００７８】
Ｈ（ｂ−１）：（ａ）と（ｂ−１）との連結部における、（ａ）の（P１）垂直断面中心部から、流し台縁部までの高さ
Ｈ（ｂ−２）：（ａ）と（ｂ−２）との連結部における、（ａ）の（P２）垂直断面中心部から、流し台縁部までの高さ
【００７９】
特に、Ｈ（ｂ−１）＜ Ｈ（ｂ−２）  ・・・・（ＩＩ）
であることがより好ましく、更に好ましくは
１．２Ｈ（ｂ−１）≦ Ｈ（ｂ−２）  ・・・・（ＩＩＩ）,特に好ましくは
１．５Ｈ（ｂ−１）≦ Ｈ（ｂ−２）  ・・・・（ＩＶ）である。
【００８０】
このような関係を有することで、（ａ）支持部材を流し台に向かって上方に傾け、屑入の挟持位置を高くすることができ、ゴミが重みを増して来るに連れて屑入がずり下がり、流し台の内壁に接触したり、固定具ごと剥離して落下することを、予め防止することができる。
【００８１】
また、Ｈ（ｂ−２）が、Ｈ（ｂ−１）よりも高いと、流し台縁部にシンク側向かって低い段差がある場合でも（ａ）を水平に設置することが出来るという利点を有している。
尚、（ｂ−２）を（ａ）の長手方向に沿って、（ｂ−１）側に向かって移動させる程、（ａ）の傾きが更に大きく、屑入の挟持位置も高くなり、流し台中央に向かって（ｂ−１）と逆側に移動させる程、傾きは小さくなり、屑入の挟持位置も低くなる。
【００８２】
一方、傾きを適度に抑えた方が、（ａ）の破損や固定力の低下のリスクが、より低くなるという点では、下記（Ｖ）の関係を有することが好ましい。
Ｈ（ｂ−２）≦ ３Ｈ（ｂ−１）  ・・・（Ｖ）
【００８３】
上記の様な Ｈ（ｂ−１）とＨ（ｂ−２）との関係は、固定具の各部材の大きさや形状等によって決まるものであるが、固定具の簡単な設計方法としては、例えば（ＩＩ）の関係を有する構造は、同じ大きさ・形状の（ａ）用の貫通孔を、支柱部分の上端から同じ距離の位置に設け、同じ吸盤を固定手段として使用した（ｂ−１），（ｂ−２）を使用すると想定した場合、（ｂ−２）の支柱部分の高さを、（ｂ−１）の支柱部分の高さより大きくすれば良い。
また、それ以外の場合でも、簡単なシミュレーションで、上記の（Ｉ）〜（Ｖ）の関係を満たすような、各部材の大きさ・形状等を、容易に設計することができる。
【００８４】
（（ｂ−１）と（ｂ−２）の間隔）
（ｂ−１）と（ｂ−２）の間隔（図５の（ｂ１−ｂ２））は、適度な固定力を維持するために、例えば３ｃｍ〜１０ｃｍが好ましい。
尚、（ｂ−２）を（ａ）の長手方向に左右に移動することで、（ｂ−１）と（ｂ−２）の間の幅を変化させ得るため、様々な面積や幅の流し台縁部の、それぞれに適した幅で（ｂ−１），（ｂ−２）を設置し、屑入の固定強度を最適に調整することが可能である。
（ｂ−１）と（ｂ−２）の間隔が広い程、本発明の固定具を、より安定に設置し得るからである。
【００８５】
（（ａ）と（ｂ−１）との連結方法）
（ａ）と、（ｂ−１）の支柱部分との連結は、完全固定であっても良いが、垂直面上及び／又は水平面上で（ａ）の回動が可能となるように連結させることもできる。
【００８６】
（ｂ−１）は、少量のパーツで製造可能で低コストとなる点では、（ａ）に完全に固定されていることが好ましい。
【００８７】
但し、Ｈ（ｂ−２）がＨ（ｂ−１）よりも高い場合には、（ｂ−２）の（ａ）長手方向への移動の際，特に（ｂ−２）を（ｂ−１）に近づける場合に、（ａ）と（ｂ−１）との連結点に余計な力がかからず、（ｂ−１）の流し台縁部に対する固定力が維持され易いという観点から、（ｂ−１）を（ａ）と垂直面上で回動可能に連結した方が好ましい（図１，５等参照）。
【００８８】
また、垂直面上で（ａ）を回動可能とすることで、屑入を自在に昇降させることができる。
【００８９】
一方、水平面上で（ａ）を回動可能とすると、（ｂ−１）を設置面に固定した状態のまま、屑入の固定位置を、水平面上で微調整することができる点で好ましい。
また、（ａ）を水平面上（好ましくは更に垂直面上）で回動可能に（ｂ−１）と連結すると共に、併せて（ｃ）を、垂直面上で回動可能に（ａ）と連結することで、屑入を使用しない場合に、（ｂ−１）を固定したままで、固定具を、シンク内から流し台縁部の上方に格納し、流し台を広く使用することができる。
【００９０】
尚、垂直面上で回動可能に連結する方法としては、例えば、
ｉ）ヒンジを使用する方法，
ii）（ｂ−１）の上端の水平面上に、（ａ）の長手方向に垂直な回転軸を設け、連結する（ａ）の端部に、対応する軸受部や軸孔等を設ける方法
等の、公知の連結方法が挙げられる。
【００９１】
水平面上で回動可能に連結する方法としては、例えば、
ｉ）ヒンジを使用する方法
ii)（ｂ−１）上端に垂直方向の回転軸を，連結する（ａ）の端部に、対応する軸受部や軸孔等を設ける方法
iii)支柱部分の少なくとも一部を水平面上で回転又は回動可能とした（ｂ−１）の、当該回転又は回動可能な部位に、（ａ）端部を連結する方法
等の公知の連結方法が挙げられる。
【００９２】
連結部位は、（ｂ−１）の支柱部分の、垂直方向中央部から上端あたりが好ましい。
【００９３】
（（ａ）と（ｂ−２）との連結方法）
（ａ）は（ｂ−２）の支柱部分の、垂直方向中央部から上端辺りに連結されるのが好ましいが、（ｂ−２）が（ａ）の長手方向に対して可動性を有するように連結させることが必要である（図１，５等参照）。
【００９４】
尚、（ｂ−２）の「長手方向の可動性」を達成する構造とは、（ｂ−２）を（ａ）長手方向に沿ってスライド移動させ得るか、或いは（ｂ−２）を（ａ）から一旦取り外して（ａ）長手方向の別の位置に取り付け得る構造を意味し、具体的には例えば下記のような構造が挙げられる。
【００９５】
（ｂ−２）-I：（ｂ−２）の側面（（ａ）の長手方向に垂直な面）に設けた、（ａ）を貫通させるための貫通孔
【００９６】
（ｂ−２）-II：（ｂ−２）の上端に設けた、（ａ）を嵌入させるための部位（例えば図２の鉤形構造等）
【００９７】
尚、（ｂ−２）-IIの場合には、（ｂ−２）をスライド移動させるほか、スライド移動させず、逐次取り外して、（ａ）の別の位置に取り付けるような使用方法も可能である。
【００９８】
上記の、（ｂ−２）-Iや（ｂ−２）-IIの、幅，深さ，或いは大きさ等は、（ｂ−２）が過度な力を有さずとも（ａ）の長手方向に対して可動性を発揮し、しかも（ｂ−２）を（ｂ−１）に近づけた際に、Ｈ（ｂ−１）＜ Ｈ（ｂ−２）となっても、（ｂ−１）や（ｂ−２）に対して（ａ）からの過度の負荷が掛からない程度に大きく、且つ（ａ）が、（ｂ−２）から離脱しない程度に小さく、（ａ）の長手方向に垂直な（P１），（P２）垂直断面の形状，面積，幅，高さ等に、それぞれ対応するものであれば良い。
【００９９】
尚、（ｂ−２）の、（ａ）の長手方向への可動性に関して言えば、（ａ）と（ｂ−２）の連結部分には、（ｂ−２）の、（ａ）長手方向への移動がスムーズとなるように、潤滑剤等を施すか、或いは、移動時の摩擦力が小さくなるような材質を選択することが好ましい。
【０１００】
［（ｃ）（ａ）の一端に連結された、一対の部材からなる屑入用の挟持部材］
本発明の流し台用屑入の固定具は、（ａ）の一端に連結された、一対の部材からなる屑入用の挟持部材であって、少なくとも下記（ｃ−１）及び（ｃ−２）を有する（ｃ）屑入用の挟持部材を有することを特徴としている。
【０１０１】
（ｃ−１）把持対部分
（ｃ−２）挟持対部分
【０１０２】
（挟持部材の種類）
上述のような、挟持部材の種類としては、具体的には下記の様なタイプが挙げられ、適当な市販品等を用いても良い。
【０１０３】
Ａ）洗濯バサミ，アルミピンチやステンレスピンチ等のピンチ
Ｂ）目玉クリップ，ダブルクリップ（バインダークリップやフォールドバッククリップとも言う），山形クリップ，シャーククリップ等のクリップ
【０１０４】
流し台用屑入をしっかりと挟み込むことができれば、いずれのタイプでも構わないが、内側に、屑入の上縁部（図１，５，６等参照）をしっかりと挟み込む溝を設ける場合には、（ｃ−２）挟持対部分に、ある程度の厚みがあることが好ましく、かかる観点からは、Ａ）の洗濯バサミの様なものが好ましい。
【０１０５】
また、挟持部材の挟持力は、主として把持対部分（ｃ−１）の内側に挟んだバネ等の弾性体や、ピンチバネ，ピンチリング等によって発揮されるが、強い挟持力を有する点では、ピンチバネやピンチリング，特にピンチバネを有する挟持部材が好ましい。
【０１０６】
（（ｃ）の形状）
（ｃ）は、通常市販されている洗濯バサミやクリップの形状で良い。
【０１０７】
（（ｃ）の厚み・長さ）
（ｃ）の厚みや長さは、通常市販されている洗濯バサミやクリップの厚みや長さで良い。
【０１０８】
具体的には、例えば、２つの先端を合わせた厚み（図３，５（ｒ））は、５ｍｍ〜２０ｍｍ程度が好ましく、より好ましくは８ｍｍ〜１５ｍｍ，特に好ましくは１０ｍｍ前後である。
（ｃ）の高さ（図１，３，５（ｓ））は、５０ｍｍ〜１５０ｍｍ程度が好ましく、より好ましくは７０ｍｍ〜９０ｍｍであり、（ｃ）の幅（図４（ｔ））は、連結する（ａ）の、長手方向に垂直な断面の長辺（ａｘ）に収まり、かつ屑入を安定に保持し得る点では、例えば、１０ｍｍ〜５０ｍｍ程度が好ましく、挟持部材の一片の先端厚みは、２．５ｍｍ〜１０ｍｍ程度が好ましい。
【０１０９】
（（ｃ）の材質）
（ｃ）の材質としては、金属，プラスチック，又は木材，或いはそれらの組み合わせ等が挙げられ、屑入を挟持した際に、破損しない強度或いは弾性を有していれば良い。
中でも、水回りでの使用に適しているという点では、腐食し難い金属やプラスチックが好ましく、また錆びにくいという点や、価格，成形容易性等の点では、プラスチックが好ましい。
【０１１０】
プラスチックとしては、例えば（ａ）の支持部材の材質で挙げたようなものが挙げられるが、中でも、適度な弾性を有し、耐荷重性に優れる点では、ナイロン等のポリアミドが好ましく、安価と軽さの点では、ポリエチレンやポリプロピレン等が好ましい。
【０１１１】
（ｃ−２内側の溝の形状・数等）
（ｃ−２）の少なくとも一方（屑入を挟持した際に、屑入の外側に位置する方）の内側（挟持対が互いに向かい合う側）の面には、屑入の上端に縁部が存在している場合に、当該縁部（以下、「上縁部」と記載することがある。）をしっかりと挟み込んでホールドするための溝が設けられていることが好ましい。
【０１１２】
この溝は、屑入の上縁部をしっかりとホールドできる幅や深さ，或いは断面形状を有していれば、特に制限されるものではないが、例えば以下のような幅や深さが例示される。
【０１１３】
溝の幅（高さ）（図３（ｕ））としては、屑入上縁部を確実に溝に挟み込むことができ、かつ余分な隙間が無く、屑入上縁部を安定的に挟持できる点等から、例えば３ｍｍ〜１５ｍｍが好ましい。
【０１１４】
また、溝の深さ（図３（ｖ））も、屑入上縁部を確実に溝に挟み込むことができ、かつ余分な隙間が無く、屑入上縁部を安定的に挟持できる点等から、例えば２ｍｍ〜１０ｍｍが好ましい。
【０１１５】
溝の断面形状としては、例えば半球状，１／４円球状の他、流し台底面に平行な底辺を有する、正方形又は長方形，三角形等が、好ましいものとして挙げられ、特に好ましくは、二等辺三角形である（図３等参照）。
尚、ここで言う断面とは、溝の長手方向に対して垂直な方向に切断した垂直断面を言う。
【０１１６】
（溝の本数）
この溝は，幅，深さ，又は断面形状のいずれかが異なる２本以上であることが、様々な屑入に対応できるので好ましい。
この複数の溝は、（ｃ）として洗濯バサミ等を用いた場合、その一般的な形状上の制約から、より深い，あるいは大きい溝ほど、設置面から見て上方に設ける方が、深い溝を設けることができ、且つ（ｃ）自体の強度維持もし易い点で好ましい（図２，３等参照）。
【０１１７】
尚、（ｃ−２）の、上記の溝よりも先端部分には、挟持対が互いに嵌合するように、内側にジグザグ形状を有していたり（図３等参照）、内側に、突起，或いは凹凸等の加工が施されていると、三角コーナーの上縁部のようなものが無い不織布，紙製，網状等の、非定形性の、薄い袋状屑入（いわゆるゴミ取りネット等）をも強固に挟持できるため好ましい。
【０１１８】
但し、これらの加工は、屑入を挟持しない状態で、（ｃ−２）の先端部が、できるだけ隙間なく閉じるような大きさ・形状等であることが好ましい。
【０１１９】
（ａ，ｃ間の連結方法）
（ｃ）は、（ａ）に、完全に固定されていても良いが、垂直面上での（ｃ）の回動が可能となるように連結されていることが好ましい（図１，５等参照）。
【０１２０】
回動可能に連結する方法としては、ヒンジや、回転軸と軸受（又は軸孔）を用いる一般的な方法等が挙げられる。
【０１２１】
（ｃ）は、（ａ）と垂直面上で回動可能に連結することによって、上述の（ｂ−２）の（ａ）長手方向の移動と併せて、屑入を自在に上下させることができ、ゴミの重みによる屑入のずり下がりや落下の防止，屑入が流し台内壁に接することによる内壁の汚れの誘発の防止等が容易となる。
また、（ｃ）を、（ａ）との連結部位において、垂直面上で上方（できれば（ｃ）のうち（ａ）と連結している側の一片が、（ａ）と平行になるまで）に回動させると共に、（ａ）を、（ｂ−１）との連結部位において、水平面上でシンク外に回動させることによって、屑入を格納して、流し台を広く使用することができる。
【０１２２】
本発明の流し台用屑入の固定具は、耐荷重１ｋｇ以上有していることが好ましく、より好ましくは２ｋｇ以上，更に好ましくは３ｋｇ以上である。
但し、本発明の固定具を、１つの屑入に対して複数個使用することが想定される場合には、上記耐荷重は、その個数で割った程度で良い。
つまり、２個使用を前提とする場合には、固定具１つ当たりの耐荷重は、０．５ｋｇ以上有していることが好ましく、より好ましくは１ｋｇ以上，更に好ましくは１．５ｋｇ以上である。
【０１２３】
尚、本発明の固定具は、複数使用することで、屑入の固定力を増加させることができ、例えば、流し台の角で二方向から使用することで、より固定力が増加するため好ましい（図６等参照）。
【実施例】
【０１２４】
［実施例１］
下記の部材で本発明の固定具を作成することができる。
【０１２５】
（ａ）は、下記のサイズのポリエチレン製の板状物。
（ａｘ）：２０ｍｍ
（ａｙ）：１０ｍｍ
（ａｚ）：１５０ｍｍ
【０１２６】
（ｂ−１）,（ｂ−２）の支柱部分は、下記のサイズのポリエチレン製の角柱（上端に鉤形の嵌入部位有り。）
（ｂｘ）：２７ｍｍ
（ｂｙ）：１０ｍｍ
（ｂ−１），（ｂ−２）の固定手段：直径３０ｍｍの塩ビ製の吸盤（上述の吸着方法：ア））
【０１２７】
（ｂ−１），（ｂ−２）と、（ａ）との連結方法：（ｂ−１），（ｂ−２）上端の鉤形部分への（ａ）の嵌入
嵌入部位（鉤形構造の空隙）の深さ：約１７ｍｍ
嵌入部位（鉤形構造の鉤部分）の（ｂ−２）の厚み：３ｍｍ
嵌入部位（鉤形構造の鉤爪部分）の長さ：５ｍｍ
【０１２８】
支柱部分及び固定手段部分を合わせた（ｂ−１）全体の高さ：２５ｍｍ
支柱部分及び固定手段部分を合わせた（ｂ−２）全体の高さ：４０ｍｍ
【０１２９】
（ｃ）は、下記のサイズの、一般的な、ピンチリング付のプラスチック製の洗濯ばさみである。
（ｒ）：２０ｍｍ
（ｓ）：８０ｍｍ
（ｔ）：４０ｍｍ
ピンチリングの直径：３５ｍｍ
【０１３０】
上記のような構造をとることによって、本発明の固定具は、従来の固定方法と比較して、様々なタイプの流し台に対して、流し台用屑入れを安定に固定することができると考えられる。
【産業上の利用可能性】
【０１３１】
本発明は、少なくとも２箇所以上の脚部材を有することによって、屑入を流し台縁部に強固に固定し、水分を含んで重くなりがちな台所の生ゴミ等を入れても、横倒れや落下することの無い、流し台用屑入の固定具に関する。
【図１】
2017100847.tif 000003
【図２】
2017100847.tif 000004
【図３】
2017100847.tif 000005
【図４】
2017100847.tif 000006
【図５】
2017100847.tif 000007
【図６】
2017100847.tif 000008